(57)【要約】【課題】ごみ箱の構成を簡単にし、ビニール袋のごみ袋を有効利用することができるようにする。【解決手段】本発明に係るごみ箱は、手前に出入口が開口して内側にダストボックス格納用空間及びごみ袋吊り下げ用空間を形成したごみ収納キャビネットを有している。そして、ごみ収納キャビネットの内側で両空間の境界には、出入りするダストボックスを案内するガイド具が配設されている。更に、このガイド具には、ごみ袋吊り下げ用のフックが取り付けられており、これにより、ごみ袋吊り下げ用空間にごみ袋を吊り下げ保持することができる。【選択図】  図１
2005096940.tif 000002
【特許請求の範囲】
【請求項１】
手前に出入口が開口して内側にダストボックス格納用空間及びごみ袋吊り下げ用空間を形成したごみ収納キャビネットと、ごみ収納キャビネットの内側で両空間の境界に配置され、出入りするダストボックスを案内するガイド具と、ガイド具に取り付けられてごみ袋吊り下げ用空間に配置される吊り下げ用フックとを備えていることを特徴とするごみ箱。
【請求項２】
前記ガイド具は、左右に伸びる前後の取付腕部と、両取付腕部の一端に連結して前後に伸びるガイド部とからなり、ごみ収納キャビネットに両取付腕部の他端を接合し、両取付腕部の各々に前記吊り下げ用フックが設けられている請求項１に記載のごみ箱。
【請求項３】
ごみ箱本体の手前側に設けられた出入口用の開口に、左右へ移動でき、ごみ袋吊り下げ用空間を遮蔽することのできる前板を取り付けた請求項１又は２のいずれかに記載のごみ箱。
【発明の詳細な説明】
【技術分野】
【０００１】
本発明は、ごみ収納キャビネット内にごみ袋を吊り下げることのできるフックを備えたガイドを取り付け、当該ガイドでダストボックスの出し入れを案内するようにしたごみ箱の技術に関するものである。
【背景技術】
【０００２】
収納キャビネット内の収納空間を利用してワゴンの出し入れやその他の物の収納を行うよ技術としては、例えば、特許文献１〜３に記載された技術がある。
特許文献１に記載された技術では、厨房家具の収納庫内に、スライダーと盆立てとを兼用する棚を設置し、スライダーで案内しながら厨房台車を出し入れするようにしている。また、この厨房家具では、その前面側開口の全面を開閉扉によって開け閉めするようにしている。
【０００３】
一方、特許文献２に記載された技術では、商品の包装用ビニール袋を、ごみ袋として利用する場合のビニール袋のフックの技術に関するものである。この特許文献２に記載された技術では、大袋用の袋掛け（フック）の腹部に、容易に手で離脱可能な切れ目を入れ、小袋用の袋掛け（フック）を抱き合わせて構成したものである。
【０００４】
また特許文献３に記載された技術では、台所用流し台のキャビネット本体と壁面との間の空間に、前板の横幅を変更することのできるワゴンを配設している。前記キャビネット本体と壁面との間の寸法のバラツキを、ワゴンの前板の重ね代を変更することで吸収し、前板が前記キャビネット本体と壁面との間の寸法に合致するようにし、キャビネット全体の外観上の統一感がえられるようにしている。
【特許文献１】実公昭４８−２６９２２号公報
【特許文献２】実開昭６３ー１４７４０９号公報
【特許文献３】実開昭５０ー３２６０号公報
【発明の開示】
【発明が解決しようとする課題】
【０００５】
特許文献１の発明にあっては、厨房台車をダストボックスとして利用することができるが、スライダーと盆立てとを兼用する棚は、当該目的以外には利用することができず、商品の包装用ビニール袋をごみ袋として利用するようなことはできなかった。
【０００６】
また特許文献２の発明にあっては、商品の包装用ビニール袋の大小を引っ掛ける治具を二つ同時に成形できるようにし、使用時には分解して使用するものである。この特許文献２の技術を特許文献１の技術のスライダーと盆立て兼用の棚の代わりに用いた場合には、スライダーの機能が失われ、またごみ袋を開口した状態で引っ掛けて保持することができず、ごみの投入は利用者がごみ袋の開け口側を手で開いて大きく開口させた状態で行う必要があり、ワンタッチで投入できず、また片手で投げ入れることもできず、極めて慎重に取り扱う必要があり、面倒であった。
【０００７】
更に、特許文献３の技術にあっては、ワゴンの横幅を変更できるように三枚の前板を重ねて配置し、必要に応じて重ね部分の寸法を変更することで、ワゴンの前板の横幅を変更できるようにしており、ワゴン自体の中の収納空間に対してその収納動作に対応して前板をスライドできるようにしたものではなかった。そのため、ワゴンを取り出した場合には、前板のみが突出した状態となり、見栄えが悪く、またワゴン内に物を収納したり、取り出す場合には、ワゴンの側面の開口から行わねばならず、常に収納物が見える状態となる欠点があった。
【０００８】
本発明は従来の前記課題に鑑みてこれを改良除去したものであって、キャビネット本体内にダストボックスをガイド具を介して出し入れ自在に格納し、またごみ袋を吊り下げるフックを前記ガイド具に設けることで、ごみ箱の構成を簡単にし、ごみ袋を有効利用することができるようにしたごみ箱を提供せんとするものである。
【課題を解決するための手段】
【０００９】
而して、前記課題を解決するために本発明が採用した請求項１の手段は、手前に出入口が開口して内側にダストボックス格納用空間及びごみ袋吊り下げ用空間を形成したごみ収納キャビネットと、ごみ収納キャビネットの内側で両空間の境界に配置され、出入りするダストボックスを案内するガイド具と、ガイド具に取り付けられてごみ袋吊り下げ用空間に配置される吊り下げ用フックとを備えていることを特徴とするごみ箱である。
【００１０】
また本発明が採用した請求項２の手段は、前記ガイド具は、左右に伸びる前後の取付腕部と、両取付腕部の一端に連結して前後に伸びるガイド部とからなり、ごみ収納キャビネットに両取付腕部の他端を接合し、両取付腕部の各々に前記吊り下げ用フックが設けられている請求項１に記載のごみ箱である。
【００１１】
更に、本発明が採用した請求項３の手段は、ごみ箱本体の手前側に設けられた出入口用の開口に、左右へ移動でき、ごみ袋吊り下げ用空間を遮蔽することのできる前板を取り付けた請求項１又は２のいずれかに記載のごみ箱である。
【発明の効果】
【００１２】
請求項１の発明にあっては、ガイド具がダストボックスの出し入れ時の案内と、ごみ袋を吊り下げる機能とを有している。そのため、ダストボックスの出し入れは、ガイド具に沿って行えばよく、押し込んだり、手前へ引き寄せるだけでよく、その作業が極めて容易である。またガイド具のフックにサービスとして商品の包装に用いられるビニール袋の帯状になった把持部を引っ掛けることにより、これをごみ袋として利用することが可能である。これにより、ビニール袋は、上部側の開放端が大きく開口し、ごみの投入を容易にする。
【００１３】
請求項２の発明にあっては、ガイド具を取付腕部と、これに連続するガイド部とで構成し、取付腕部にごみ袋吊り下げ用のフックを設けており、ごみ袋はガイド具とキャビネット内側面とで囲まれてこれに保護された状態で存在する。つまり、ごみ袋が他部材と干渉することが殆どなくなり、投入したごみが袋から飛び出して散乱するようなことがない。またガイド具を金属パイプで形成する等が可能となり、その製作が容易である。
【００１４】
請求項３の発明にあっては、ごみ箱本体の手前側に設けられた出入口用の開口に、左右に移動できる前板を取り付けたから、この前板で通常はダストボックスを隠蔽したり、またはフックに係止されたごみ袋を遮蔽することができ、そとからこれらの部材が直接見えるのを避けることができる。
【発明を実施するための最良の形態】
【００１５】
以下に、本発明の構成を図面に示す発明の実施の形態に基づいて説明すると次の通りである。図１乃至図３は本発明の一実施の形態に係るものであり、図１はごみ箱１の全体を示す斜視図、図２はごみ箱１の横断面平面図、図３はガイド具２を示す斜視図である。同図に示す如く、このごみ箱１は、手前側に開口３が設けられたごみ収納キャビネット４と、該キャビネット４内に出し入れ自在に配設されるダストボックス５と、該ダストボックス５の両サイドでキャビネット側板６Ａ，６Ｂの内側面に取り付け固定される二つのガイド具２，２とで構成されている。二つのガイド具２，２により、ごみ収納キャビネット４内の収納空間は、各ガイド具２によって囲まれた領域がごみ袋吊り下げ用空間７となり、二つのガイド具２，２どうしの間に形成された領域がダストボックス格納用空間８となっている。なお、ごみ箱１の上面には、開閉扉９Ａ，９Ｂを備えた上部キャビネット１０が載置固定されている。
【００１６】
二つのガイド具２は、図３の斜視図に拡大して示すように、左右に伸びる前後の取付腕部１１Ａ，１１Ｂと、これらを連結して前後に伸びるダストボックス５のガイド部１２とを有し、ステンレス又はアルミ合金等の金属パイプを折り曲げることによって一体的に形成されている。そして、前後の取付腕部１１Ａ，１１Ｂの端部には、ガイド具２をビス１３等を利用してキャビネット側板６Ａ，６Ｂへ固定するための取付基板１４Ａ，１４Ｂが溶接等により固定されている。また前後の取付腕部１１Ａ，１１Ｂの左右方向のほぼ中央部には、内側方向（前後方向）へ対向配置された一対のフック１５Ａ，１５Ｂが溶接等により固定されている。フック１５Ａ，１５Ｂは、所定間隔を置いて前後方向へ伸びる水平部１６と、水平部１６から連続して立ち上がる起立部１７と、これらの起立部１７どうしを連結する水平連結部１８とを有している。
【００１７】
一方、ダストボックス５は、図１の斜視図に示すように、矩形状に形成された金属パイプ等からなる前後のフレーム１９Ａ，１９Ｂと、各フレーム１９Ａ，１９Ｂの外側面に取付固定された化粧板２０Ａ，２０Ｂと、各フレーム１９Ａ，１９Ｂどうしを連結する底板２１と、底板２１の底面側に取り付けられたキャスター２２とで台車２３を構成しており、また底板２１の上に二つのダストボックス本体２４Ａ，２４Ｂが載置されて成る。同図において、符号２５はダストボックス本体２４Ａ，２４Ｂの開閉自在な蓋である。
【００１８】
なお、収納キャビネット４の手前側の開口３には、ダストボックス５の出し入れに支障のない大きさで横方向へスライド自在な前板２７，２７を配設することも可能である。この場合、前板２７，２７はキャビネット天板から吊り下げ方式でスライド自在とすればよい。この前板２７，２７は、ダストボックス５又は左右のガイド具２，２に吊り下げ保持されているごみ袋２６，２６を隠蔽するようにするためのものである。
【００１９】
次に、このように構成されたごみ箱１の使用態様を説明する。先ず、図１及び図２に示すように、キャビネット側板６Ａ，６Ｂの内側面に取り付けられた二つのガイド具２，２の対向するフック１５Ａ，１５Ｂに、それぞれサービスとして提供される商品等の包装に用いられるビニール袋（ごみ袋）２６の把持部２６Ａ，２６Ｂを引っ掛けてこれに吊り下げる。これにより、ビニール袋２６は上面の開放端側が大きく開口した状態で前記フック１５Ａ，１５Ｂに吊り下げ保持される。従って、このごみ袋２６へごみを投入することが極めて容易である。またごみ袋２６は、各ガイド具２，２によってその周囲をガードされた状態で存在することになり、他の部材と干渉して収納したごみが飛び出して散乱する等の不具合は起こり得ない。
【００２０】
ダストボックス５は、底面側にキャスター２２が取り付けられているので、左右のガイド具２，２間に形成されたダストボックス格納用空間８への出し入れは自由である。この出し入れに際し、台車２３を構成する矩形状に形成された金属パイプ等からなる前後のフレーム１９Ａ，１９Ｂが、左右のガイド具２，２のガイド部１２，１２に当接してこれに案内されるので、正しい向きに姿勢を矯正されつつ出し入れが行われることになり、出し入れ作業は極めて円滑且つ容易に行うことができる。
【００２１】
ところで、本発明は上述した実施の形態に限定されるものではなく、適宜の変更が可能である。例えば、ごみ収納キャビネット４の左右の側板６Ａ，６Ｂの内側面に設けたガイド具２，２は、一方側に設けるようにしてもよい。その場合、ダストボックス５の案内は、一方側においてガイド具２によって行われ、他方側において側板６Ａ，６Ｂのいずれか一つとの間で行われることになる。またフック１５Ａ，１５Ｂの形状や大きさ等はビニール袋の大きさや収納キャビネット４の大きさ等を考慮して適宜の変更が可能である。更に、ガイド具２やダストボックス台車２３のフレーム１９Ａ，１９Ｂは、金属パイプ以外に樹脂製のパイプや金属棒、樹脂製の棒材の適用が可能である。
【図面の簡単な説明】
【００２２】
【図１】本発明の一実施の形態に係るごみ箱の全体を示す斜視図である。
【図２】本発明の一実施の形態に係るごみ箱の全体を示す横断面平面図である。
【図３】本発明の一実施の形態に係るごみ箱のガイド具を示す斜視図である。
【符号の説明】
【００２３】
１…ごみ箱、２…ガイド具、３…キャビネットの手前側開口、４…収納キャビネット、  ５…ダストボックス、７…ごみ袋吊り下げ用空間、８…ダストボックス格納用空間、１  １Ａ，１１Ｂ…ガイド具の取付腕部、１２…ガイド具のガイド部、２６…ごみ袋
【図１】
2005096940.tif 000003
【図２】
2005096940.tif 000004
【図３】
2005096940.tif 000005